(57)【要約】【課題】小型化しながら、少ない洗浄水量で効率良く、ボウル部の前方側に廃棄された汚物を洗い落とすことができるオストメイト用汚物流しを提供すること。【解決手段】壁面に沿って配置されるオストメイト用汚物流しであって、上方が開口され、周壁面が略楕円形状に形成されたボウル部と、ボウル部から窪むように形成され、封水が溜まる溜水部と、溜水部の下部から壁面に向かって上昇するように形成され、溜水部に封水を形成するトラップ管路と、ボウル部の周壁面に開口し、周壁面に沿って水平方向に旋回するように洗浄水を吐水する吐水口と、を備え、ボウル部の周壁面には、吐水口から吐水された洗浄水を載せて旋回させるために、周壁面から略水平に突出している棚部が周回して形成され、ボウル部の前方側には、洗浄水を溜水部へ向かうように誘導する流れ誘導部が形成されていることを特徴とする。【選択図】  図４
2018126332.tif 000002
【特許請求の範囲】
【請求項１】
建物の壁面に沿って配置されるオストメイト用汚物流しであって、
汚物が投入可能となるように上方が開口され、周壁面が略楕円形状に形成されたボウル部と、
前記ボウル部から窪むように形成され、封水が溜まる溜水部と、
前記溜水部の下部から前記壁面に向かって上昇するように形成され、前記溜水部に前記封水を形成するトラップ管路と、
前記ボウル部の周壁面に開口し、この周壁面に沿って水平方向に旋回するように洗浄水を吐水する吐水口と、
を備え、
前記ボウル部の周壁面には、前記吐水口から吐水された洗浄水を載せて旋回させるために、前記周壁面から略水平に突出している棚部が周回して形成され、
前記ボウル部の前方側には、洗浄水を前記溜水部へ向かうように誘導する流れ誘導部が形成されていることを特徴とするオストメイト用汚物流し。
【請求項２】
前記流れ誘導部は、前記棚部を周回する前記吐水口から吐水された洗浄水が前記棚部から流下するように、前記棚部における前記ボウル部の前方側の中央位置から前記溜水部に向かって拡幅する形状の誘導溝で構成されることを特徴とする請求項１記載のオストメイト用汚物流し。
【請求項３】
前記流れ誘導部は、前記ボウル部の前方側において、前記棚部と前記棚部の下方の前記周壁面との間に形成されており、前記棚部の下方の前記周壁面を流れる前記洗浄水を前記溜水部へ向かうように誘導することを特徴とする請求項１記載のオストメイト用汚物流し。
【請求項４】
前記吐水口は、前記ボウル部の後方側の前記周壁面に形成されており、前記吐水口から前記周壁面に吐水された洗浄水は、後方側の周壁面を左右何れかの一方側から他方側へと流れることを特徴とする請求項２乃至請求項３の何れかに一項に記載のオストメイト用汚物流し。
【発明の詳細な説明】
【技術分野】
【０００１】
本発明は、人工肛門や人工膀胱などの保持者である「オストメイト」と呼ばれる方々が使用するオストメイト用汚物流しに関する。
【背景技術】
【０００２】
人工肛門や人工膀胱などの保持者であるオストメイトと呼ばれる方々は、身体の腹部に排泄物（以下、汚物という）を溜めておくための袋、いわゆるパウチを装着しており、時折、トイレにおいて溜まった汚物を廃棄したり、パウチの内面、ストーマ（腹部に造設された排泄口）、ストーマ付近の腹部などに着いた汚物を洗い流したりするなどの作業を行う必要がある。
【０００３】
そして、オストメイトと呼ばれる方々が外出先で作業を行うための専用設備として、例えば特許文献１に記載されたオストメイト用汚物流しが提案されている。
この特許文献１に記載されたオストメイト用汚物流しにおいては、ボウル部の周壁面を旋回するように吐水して、ボウル部内に廃棄された汚物を排出するように構成されており、ボウル部の形状がシンプルであるため、排出後にボウル部に汚物が残っていたとしても目視で簡単に把握でき、また、その除去も容易に行うことができ、衛生面で優れたものとなっている。
【０００４】
また、近年、バリアフリー法の施行に伴い、公共施設においては多目的用トイレルームの設置が促進されているが、その障壁となるのがスペースの確保である。即ち、多目的トイレルームは車椅子利用者が利用するために健常者が利用する一般的なトイレルームよりも広い面積が必要となる。
そのため、多目的トイレルームに設置されるオストメイト用汚物流しには、狭い面積でも設置できる小型化の要望が高まってきている。
【先行技術文献】
【特許文献】
【０００５】
【特許文献１】特許第０４９４１３３６号
【発明の概要】
【発明が解決しようとする課題】
【０００６】
オストメイト用汚物流しを小型化する際は、ボウル部と壁面との間に給水流路やトラップ管路等の管路を配置するための管路配置スペースが必要になるため、単純にボウル部の縮尺を小さくすることはできない。
また、オストメイト用汚物流しの小型化において、オストメイトの方々の使い勝手を考慮してボウル部の開口面積を大きくするのが好ましいが、ボウル部の開口形状を、例えば、長方形などにしてボウル部の開口面積を大きくすると、洗浄水の旋回性が悪くなり洗浄性能が低下する。
そのため、特許文献１に記載されているオストメイト用汚物流しを小型化して、そのボウル部の開口形状を横長の略楕円形状することで、管路配置スペースを確保でき、且つ、ボウル部の開口面積が大きく、洗浄性能が良好なようにすることが考えられる。
【０００７】
しかしながら、小型化のためにボウル部の開口を横長の略楕円形状にしたオストメイト用汚物流しにおいて、特許文献１のように壁面から前方に向けて洗浄水を吐水すると、ボウル部の前方側に洗浄水が到達したとき、前方側に旋回してきた洗浄水には運動エネルギーが十分にあり、遠心力が大きいため、ボウル部の前方側から落下する洗浄水が少なくなる。そのため、ボウル部の前方側に着いた汚物が残ってしまうという問題があった。
特に、オストメイトの方々は、汚物を廃棄する際に、パウチをボウル部の前方側から垂らし、汚物を廃棄するため、ボウル部の前方側に多くの汚物がつく。そのため、汚物残りが顕著になる。
【０００８】
さらに、オストメイト用汚物流しは、公共施設に設置されるため、洗浄水の供給源として一般家庭よりも口径が大きな給水配管から、フラッシュバルブを介して瞬間流量が約１００リットル／分といった大流量で供給されるように設置される現場も多く、節水化のため使用する１回当たりに流す洗浄水量を削減した場合、吐水時間が短くなり、ボウル部の前方側から流下する洗浄水の量も少なくなるので、ボウル部前方側に廃棄された汚物残りが顕著になる。
【０００９】
本発明は、上記問題を解決するためになされたものであり、本発明の課題は、オストメイト用汚物流しを小型化しながら、少ない洗浄水量で効率良く、ボウル部の前方側に廃棄された汚物を洗い落とすことができるオストメイト用汚物流しを提供することを目的としている。
【課題を解決するための手段】
【００１０】
上記目的を達成するために、請求項１に係るオストメイト用汚物流しにおいては、建物の壁面に沿って配置されるオストメイト用汚物流しであって、汚物が投入可能となるように上方が開口され、周壁面が略楕円形状に形成されたボウル部と、前記ボウル部から窪むように形成され、封水が溜まる溜水部と、前記溜水部の下部から前記壁面に向かって上昇するように形成され、前記溜水部に前記封水を形成するトラップ管路と、前記ボウル部の前記周壁面に開口し、この周壁面に沿って水平方向に旋回するように洗浄水を吐水する吐水口と、を備え、前記ボウル部の前記周壁面には、前記吐水口から吐水された洗浄水を載せて旋回させるために、前記周壁面から略水平に突出している棚部が周回して形成され、前記ボウル部の前方側には、前記洗浄水を前記溜水部へ向かうように誘導する流れ誘導部が形成されていることを特徴とする。
【００１１】
本請求項１に係るオストメイト用汚物流しによれば、ボウル部の周壁面が横長の略楕円形状に形成されているため、汚物を投入するための開口面積を確保しながら壁面からの突出量を抑えることができる。
また、ボウル部の周壁面を旋回する洗浄水が棚部に載って旋回するため、吐水口から吐水された洗浄水がボウル部の前方に至るまでに溜水部へ流下し過ぎることを防止できる。
さらに、ボウル部の前方側には、洗浄水を溜水部へ向かうように誘導する流れ誘導部が形成されているので、ボウル部の前方側を流れる洗浄水を流れ誘導部によって溜水部へ流下させることができる。
したがって、棚部及び又は流れ誘導部によって、ボウル部の前方側から溜水部へ流れる落ちる洗浄水の量を増やすことができる。
そのため、ボウル部の前方側に廃棄された汚物を少ない洗浄水量で効率良く洗い落とすことができる。
【００１２】
また、請求項２に係わるオストメイト用汚物流しにおいては、前記流れ誘導部は、前記棚部を周回する前記吐水口から吐水された洗浄水が前記棚部から流下するように、前記棚部における前記ボウル部の前方側の中央位置から前記溜水部に向かって拡幅する形状の誘導溝で構成されることを特徴とする。
【００１３】
この請求項２に係わるオストメイト用汚物流しにおいては、流れ誘導部は、前記棚部を周回する前記吐水口から吐水された洗浄水が前記棚部から流下するように、棚部におけるボウル部の前方側の中央位置から前記溜水部に向かって拡幅する形状の誘導溝で構成されるので、棚部を旋回している洗浄水を棚部から誘導溝へ向かって流下するように誘導することができると共に、棚部の中央位置に至る以前に棚部から流下して周壁面を旋回している洗浄水の一部も誘導溝に流れ込ませることができるため、ボウル部の前方側から溜水部へ流れる落ちる洗浄水の量を増やすことができる。
そのため、少ない洗浄水量で効率良く、ボウル部の前方側に廃棄された汚物を洗い落とすことができる。
【００１４】
また、請求項３に係わるオストメイト用汚物流しにおいては、前記流れ誘導部は、前記ボウル部の前方側において、前記棚部と前記棚部の下方の前記周壁面との間に形成されており、前記棚部の下方の前記周壁面を流れる前記洗浄水を前記溜水部へ向かうように誘導することを特徴とする。
【００１５】
この請求項３に係わるオストメイト用汚物流しによれば、流れ誘導部は、棚部の下方の周壁面を流れるボウル部の後方側から前方側への洗浄水を、その流れ誘導部に衝突させることで、ボウル部の後方側から前方側への洗浄水の流れの向きを溜水部に落下する向きへ方向を変えると同時に、速度の低下を発生させる。そうすることで、洗浄水は、速度の低下した状態で溜水部方向へ向かうため、洗浄水の多くがボウル部の前方側から溜水部へ流下することとなり、ボウル部の前方側から溜水部へ流れ落ちる洗浄水の量を増やすことができる。
そのため、少ない洗浄水量で効率良く、ボウル部の前方側に廃棄された汚物を洗い落とすことができる。
【００１６】
また、請求項４に係わるオストメイト用汚物流しにおいては、前記吐水口は、前記ボウル部の後方側の前記周壁面に形成されており、前記吐水口から前記周壁面に吐水された洗浄水は、後方側の周壁面を左右何れかの一方側から他方側へと流れることを特徴とする。
【００１７】
この請求項４に係わるオストメイト用汚物流しによれば、吐水口が、ボウル部の後方側の周壁面に形成されており、吐水口から周壁面に吐水された洗浄水は、後方側の周壁面を左右何れかの一方側から他方側へと流れるため、この後方側の周壁面を流れる間に吐水口から吐水された直後に持つ洗浄水の流速が低下し、その後、ボウル部側方の周壁面を旋回して前方側に至った時点では更に流速が低下しており、洗浄水にかかる遠心力が弱くなっているので、前方側から溜水部へ流れる落ちる洗浄水の量を増やすことができる。
そのため、少ない洗浄水量で効率良く、ボウル部の前方側に廃棄された汚物を洗い落とすことができる。
【発明の効果】
【００１８】
本発明によれば、オストメイト用汚物流しを小型化しながら、少ない洗浄水量で効率良く、ボウル部の前方側に廃棄された汚物を洗い落とすことができるオストメイト用汚物流しを提供することができる。
【図面の簡単な説明】
【００１９】
【図１】本発明の実施形態に係るオストメイト用汚物流しの斜視図である。
【図２】図２のＬ−Ｌ線における断面図である。
【図３】図２のＭ−Ｍ線における断面図である。
【図４】図３におけるＮ−Ｎ線における断面図である。
【図５】本発明の第２の実施形態に係るボウル部の上方断面図である。
【図６】図５のＯ−Ｏ線における断面図である。
【図７】図５のＰ−Ｐ線における断面図である。
【発明を実施するための形態】
【００２０】
以下、本発明の第１の実施形態について添付図面を参照しながら説明する。なお、各図面中、同様の構成要素には同一の符号を付して詳細な説明は適宜省略する。
【００２１】
図１は、本発明の実施形態に係るオストメイト用汚物流しの斜視図である。この図１に表すように、オストメイト用汚物流し１は、多目的トイレルームの壁面Ｋに壁掛け状に取り付けられて使用される。
なお、以降の説明においては、壁面Ｋに向かってオストメイト用汚物流し１の正面に立った使用者から見て、壁面Ｋに向かう側を「後方側」、壁面Ｋから離れる側を「前方側」と呼び、鉛直方向上側を「上方側」、鉛直方向下側を「下方側」と呼び、左右夫々の側を「左方側」、「右方側」と呼んで説明を行う。
【００２２】
オストメイト用汚物流し１は陶器製であり、汚物が投入可能となるように上方側が開口された椀状のボウル部３と、このボウル部３の下方側に形成され、下水配管との縁切りのための封水が溜まっている溜水部５とを備えている。ボウル部３の上端には略水平方向に延在するリム部７が形成されている。また、壁面Ｋには、水栓装置９が取り付けられている。この水栓装置９は配管（図示せず）によって供給された水または湯を吐水可能であり、オストメイトの方々が汚物を廃棄した後のパウチ等の洗浄を行うことができる。
【００２３】
また、ボウル部３の後方側面の右方側には、ボウル部３を洗浄するための洗浄水を吐水する吐水口１１が開口している。この吐水口１１へは、口径３５ｍｍの給水配管（図示せず）によって給水可能であり、壁面Ｋに設けられた操作ボタン１３を操作することで、給水配管に設けられたフラッシュバルブ（図示せず）が開弁して吐水口１１から吐水を行う。
【００２４】
次に、図２〜図４に基づいてボウル部３の具体的な形状について説明する。図２は図１のＬ−Ｌ線における断面図であり、図３は、図２のＭ−Ｍ線における断面図である。また、図４は、図２のＮ−Ｎ線における断面図である。
図２に示すように、ボウル部３は、上方側が開口された椀状であり、周囲を囲むように形成された周壁面３１０と、吐水口１１から吐水された洗浄水を載せて旋回させるために、ボウル部３の周壁面３１０を周回するように周壁面３１０から略水平に突出して形成された棚部３３０とから構成されている。
周壁面３１０の略中央位置には、溜水部５が窪むように形成されている。また、周壁面３１０の上端には、内側に向かって形成されたリム部７が形成されている。
【００２５】
図３に示すように、溜水部５の下部にはトラップ管路１５が形成されている。このトラップ管路１５の上流端側となる排水流入口１５１が溜水部５後方側下部と連通しており、そこから後方側の壁面Ｋに向かって上昇しながら延びている。そして、このトラップ管路１５の下流端側の排水流出口１５３が壁面Ｋに向かって開口しており、壁面Ｋの排水配管（図示せず）と接続されている。
また、棚部３３０において、ボウル部３の前方側の中央位置には、棚部３３０を旋回する洗浄水の一部を溜水部５へ向かうように誘導する流れ誘導部３４０が形成されている。
具体的には、流れ誘導部３４０は、棚面３３０ａの一部が切か欠かれた切り欠き３４０ａと、切り欠き３４０ａから溜水部５に向かって形成された誘導溝３４０ｂで構成される。
【００２６】
図４に示すように、ボウル部３の周壁面３１０はその上面視において、横長の略楕円形状に形成されている。そのため、壁面Ｋからの前出を抑えながら、汚物が投入される左右方向の開口面積を確保することができ、汚物の投入性を維持しながら壁面Ｋからの突出量を抑えることができる。
【００２７】
ボウル部３の周壁面３１０は、上面視において、左右側方向に曲率Ｒ１で延びる後方側周壁面３１０Ｂと、この後方側周壁面３１０Ｂと対向するように前方側に形成され左右方向に曲率Ｒ２で形成された前方側周壁面３１０Ｆと、これら後方側周壁面３１０Ｂと前方側周壁面３１０Ｆとを繋ぐように前後方向に形成された左方側周壁面３１０Ｌと、左方側周壁面３１０Ｌと繋がっている前方側周壁面３１０Ｆの端部と逆の端部に繋がるように前後方向に形成された右方側周壁面３１０Ｒとを備えている。なお、後方側周壁面３１０Ｂの曲率Ｒ１は前方側周壁面３１０Ｆの曲率Ｒ２よりも小さい。また、左方側周壁面３１０Ｌおよび右方側周壁面３１０Ｒにおいて、後方側周壁面３１０Ｂと繋がる部分の曲率Ｒ３と、前方側周壁面３１０Ｆと繋がる部分の曲率Ｒ４とは、後方側周壁面３１０Ｂの曲率Ｒ１および前方側周壁面３１０Ｆの曲率Ｒ２よりも大きく形成されている（Ｒ１＜Ｒ２＜Ｒ３，Ｒ４）。
なお、これらの後方側周壁面３１０Ｂ、前方側周壁面３１０Ｆ、左方側周壁面３１０Ｌおよび右方側周壁面３１０Ｒは、図４に、二点鎖線で囲まれた領域として示されている。
【００２８】
また、ボウル部３には、後方側周壁面３１０Ｂであって、右方側周壁面３１０Ｒと繋がる位置に開口するように吐水口１１が形成されている。そして、この吐水口１１から吐水された洗浄水を載せて旋回させるために、ボウル部３の周壁面３１０を周回するように周壁面３１０から略水平に突出した棚部３３０が形成されている。棚部３３０は、上方面が略水平状の棚面３３０ａとなっており、吐水口１１から吐水された洗浄水が棚面３３０ａに載って旋回するようになっている。なお、棚面３３０ａに載って旋回する洗浄水は、重力によって一部が溜水部５に向かって流下しながら旋回し、ボウル部３の周壁面３１０の全体を洗浄する。
【００２９】
吐水口１１は、ボウル部３の後方側に向かって開口している給水接続口１１１と、導水路１１３を介して連通している。給水接続口１１１にはフラッシュバルブ（図示せず）等の給水手段から伸びる給水配管（図示せず）が接続され、図１に示す操作ボタン１３を操作することで給水手段を作動することで、吐水口１１から一定量の洗浄水を吐水することが可能となっている。
導水路１１３は、上面視において略Ｌ字状に屈曲している。具体的には、導水路１１３は、給水接続口１１１から前方に延び、その後、左方側へ向かって屈曲して吐水口１１へと連通している。
また、吐水口１１が、ボウル部３の後方側周壁面３１０Ｂであって、右方側周壁面３１０Ｒに近接して形成されており、吐水口１１から周壁面３１０に吐水された洗浄水は、後方側周壁面３１０Ｂを右方側から左方側へと流れるため、この後方側周壁面３１０Ｂを流れる間に吐水口１１から吐水された直後に持つ洗浄水の流速が低下し、その後、ボウル部３の側方の周壁面３１０を旋回して前方側に至った時点では更に流速が低下しており、洗浄水にかかる遠心力が弱くなっているので、ボウル部３の前方側から溜水部５へ流下する洗浄水の量を増やすことができる。また、吐水口１１が後方側周壁面３１０Ｂの曲面の接線に沿って形成されているので、吐水口１１から吐水される洗浄水が後方側周壁面３１０Ｂと衝突せず、スムーズに棚部３３０に載って旋回を開始することができ、後方側周壁面３１０Ｂで洗浄水の流速が急激に落ちることがなく、左方側周壁面３１０Ｌから前方側周壁面３１０Ｆにかけて徐々に洗浄水の流速が落ちる。そのため、ボウル部３の前方側から溜水部５へ流れ落ちる洗浄水の量を増やすことができ、少ない洗浄水量でも効率良く、ボウル部３の前方側に廃棄された汚物を洗い落とすことができる。さらに、ボウル部３の前方側から溜水部５に流下する洗浄水が、溜水部５に溜まった汚物をトラップ管路１５に向けて押し込む作用を果たすため、溜水部５に溜まった汚物を効率よくトラップ管路１５から外部へ排出することができる。
【００３０】
また、前方側周壁面３１０Ｆに形成されている棚部３３０の左右方向の中央位置において、流れ誘導部３４０が形成されている。上面視において、流れ誘導部３４０の切り欠き３４０ａは、Ｖ字状に切り欠かれており、流れ誘導部３４０の誘導溝３４０ｂは、切り欠き３４０ａから溜水部５に向かって拡幅する形状となっている。
【００３１】
流れ誘導部３４０は、棚部３３０を旋回している洗浄水を切り欠き３４０ａによって誘導溝３４０ｂへ向かって流下するように誘導することができると共に、切り欠き３４０ａに至る以前に棚面３３０ａから流下して周壁面３１０を旋回している洗浄水の一部も誘導溝３４０ｂに流れ込むように誘導することができる。したがって、この流れ誘導部３４０によって、洗浄水を誘導することで、ボウル部３の前方側周壁面３１０Ｆから溜水部５に流下する洗浄水の量を多くすることができる。そのため、特に汚物が廃棄されることが多いボウル部３の前方側中央についた汚物を効率よく洗い落とすことができる。さらに、ボウル部３の前方側から溜水部５に流下する洗浄水が、溜水部５に溜まった汚物をトラップ管路１５に向けて押し込む作用を果たすため、溜水部５に溜まった汚物を効率よくトラップ管路１５から外部へ排出することができる。
【００３２】
次に、本発明の第２の実施形態について図面を参照しつつ説明する。なお、第１の実施形態と同様の箇所には、同様の符号を付与し、詳細な説明は省略する。
【００３３】
図５は、本発明の第２の実施形態に係るボウル部の上方断面図である。図６は、図５のＯ−Ｏ線における断面図である。図７は、図５のＰ−Ｐ線における断面図である。
【００３４】
本発明の第２の実施形態に係るボウル部４は、第１の実施形態と同様に、上方側が開口された椀状であり、略鉛直方向に伸び、周囲を囲むように形成された周壁面３１０と、吐水口１１から吐水された洗浄水を載せて旋回させるために、ボウル部４の周壁面３１０を周回するように周壁面３１０から略水平に突出して形成された棚部３３０とから構成されている。
棚部３３０よりも下方の周壁面３１０の略中央位置には、溜水部５が窪むように形成されている。周壁面３１０の上端には、内側に向かって形成されたリム部７が形成されている。
また、ボウル部４は、ボウル部４の前方側の領域Ｓにおいて、棚部３３０と棚部３３０より下方の周壁面３１０との間に、流れ誘導部４４０が形成されている。
【００３５】
流れ誘導部４４０は、棚部３３０より下方の周壁面３１０と棚部３３０の上面である棚面３３０ａとを繋ぐ傾斜面である。流れ誘導部４４０は、図６に示すように、その傾斜面が棚部３３０より下方の周壁面３１０と略同傾斜でなく、図７に示すように、棚部３３０より下方の周壁面３１０の傾斜よりも大きく、略垂直に傾斜している。
つまり、流れ誘導部４４０は、棚部３３０と棚部３３０より下方の周壁面３１０との間を段差状にして繋げている。
流れ誘導部４４０は、流れ誘導部４４０に洗浄水を衝突させることで、洗浄水の流れを方向転換させると同時に速度を低下させ、流れＷＦ２の洗浄水を溜水部５へ落ちやすくさせるという狙いがある。
【００３６】
次に、図５〜図７を用いて、棚部３３０より下方の周壁面３１０を流れる洗浄水の流れについて説明する。
図５、６に示すように、領域Ｓより後方側の流れ誘導部４４０のない位置において、棚部３３０より下方の周壁面３１０を流れる洗浄水は、後方側から前方側への流れＷＦ１で流れている。
【００３７】
次に、図５に示すように、領域Ｓにおいて、棚部３３０より下方の周壁面３１０を流れる洗浄水は、後方側から前方側への流れＷＦ１からボウル部４の左方側から右方側に向かう流れＷＦ２の流れに向きが変わる。
洗浄水の流れの向きが変わるのは、図７に示すように、流れＷＦ１の洗浄水が流れ誘導部４４０に衝突することにより、流れＷＦ２に方向転換されるためである。また、洗浄水は、流れ誘導部４４０と衝突することにより速度が低下する。
流れＷＦ２の洗浄水は、速度の低下した状態で溜水部５の方向へ向かうため、洗浄水の多くがボウル部の前方側から溜水部５へ流下することとなり、ボウル部４の前方側から溜水部５へ流れ落ちる洗浄水の量を増やすことができる。そのため、特に汚物が廃棄されることが多いボウル部４の前方側についた汚物を効率よく洗い落とすことができる。さらに、ボウル部４の前方側から溜水部５に流下する洗浄水は、溜水部５に溜まった汚物をトラップ管路１５に向けて押し込む作用を果たすため、溜水部５に溜まった汚物を効率よく外部へ排出することができる。
【００３８】
以上、本発明の実施形態について説明した。しかし、本発明はこれらの記述に限定されるものではなく、例えば、オストメイト流しは、壁掛けでなく、床置きされているものであってもよい。
【符号の説明】
【００３９】
１    オストメイト用汚物流し
３    ボウル部
３１０    周壁面
３３０    棚部
３３０ａ    棚面
３４０    流れ誘導部
３４０ａ  切り欠き
３４０ｂ    誘導溝
５    溜水部
７    リム部
９    水栓装置
１１    吐水口
１１１    給水接続口
１１３    導水路
１３    操作ボタン
１５    トラップ管路
１５１    排水流入口
１５３    排水流出口
４      ボウル部
４４０  流れ誘導部
ＷＦ１    流れ
ＷＦ２    流れ
【図１】
2018126332.tif 000003
【図２】
2018126332.tif 000004
【図３】
2018126332.tif 000005
【図４】
2018126332.tif 000006
【図５】
2018126332.tif 000007
【図６】
2018126332.tif 000008
【図７】
2018126332.tif 000009